(57)【特許請求の範囲】
【請求項１】
コイン金額識別機構とコイン累計機構とを含むコイン貯蓄累計記憶装置であって、
前記コイン金額識別機構は、フレームを備え、前記フレームの一端にコインの投入口が設けられており、前記投入口の一端は、直径が異なるコインの投入にも対応可能な可動端であり、前記可動端に伝動ピン付きの移動子が設置され、前記移動子は複合の斜線軌跡に沿って移動すると共に選別柵部に合わせて異なる金額のコインの選別作業を行うことができ、前記選別柵部は、一つ以上の通路を有し、前記一つ以上の通路はそれぞれ異なる金額のコインに対応し、各通路に伝動ロッドが設置され、その伝動ロッドと当該通路に入った伝動ピンとの作用によりコインの金額に対応する特性信号を発生させ、
前記コイン累計機構は、１セットの単方向に回転可能な計数輪を備え、１の位と１０の位に位置する前記計数輪に、単方向の駆動爪車が設けられており、前記駆動爪車は、伝動機構に接続し、前記コイン金額識別機構から受信した前記特性信号に対応して駆動することによって、コイン金額値を累計記憶し、
前記可動端は可動枠部であり、前記可動枠部は前記フレームの投入口方向に沿って往復移動し、前記可動枠部に前記移動子を収容するための横方向のスライド溝が設けられており、前記可動端が水平に直線移動するとき、前記移動子が従動して垂直に移動し、前記移動子は同時に斜面スプリングピースと圧縮スプリングとの作用により前記複合の斜線軌跡の移動経路を形成し、前記移動子の移動は前記選別柵部からの制限も受け、前記選別柵部の各通路に阻止バリアが設けられており、前記阻止バリアの阻止長さの直線移動方向における距離は、コインの直径に対応しているため、異なる直径のコインによって前記可動端の直線移動距離も異なることで、前記移動子が跳ねるように平行移動すると共に前記伝動ピンが異なる前記通路に入ってコイン金額の識別が可能になることを特徴とするコイン貯蓄累計記憶装置。
【請求項２】
前記選別柵部内の各阻止バリアが阻止長さの短い順に配列されているため、前記伝動ピンが短い順から平行移動するとき、短い順に阻止長さを経過することになり、各種のコインの特有の直径がそれぞれ一つの復帰通路に対応付けられていることを特徴とする請求項１に記載のコイン貯蓄累計記憶装置。
【請求項３】
前記可動枠部の両端は、エキスパンダーを介して前記フレームに接続しているため、コイン投入後に復帰可能であり、コインが前記投入口を経過する過程において、コインの直径に対応して前記可動端が最大に平行移動し、前記可動枠部内の前記移動子の前記伝動ピンは、最大に跳ねるように平行移動した後、異なる前記復帰通路に進入し、前記伝動ピンは前記通路に進入後前記伝動ロッドの斜面に作用して前記コイン金額累計機構と連動することによってコイン金額値累計記憶を行い、前記伝動ピンが前記伝動ロッドの前記斜面の末端に当接後隔離し、前記圧縮スプリングの作用によって初期位置に移動復帰するサイクルを完了させることを特徴とする請求項１又は２に記載のコイン貯蓄累計記憶装置。
【請求項４】
前記伝動機構は、歯車噛合機構であり、扇形歯車セットを備え、その中の扇形歯車の一端は触発端であり、前記伝動ロッドとの作用によってコイン選別の前記特性信号を受信し、前記扇形歯車の歯部は前記計数輪側の歯車と噛み合って前記計数輪を駆動することによってコイン金額値の累計記憶が実現できることを特徴とする請求項１に記載のコイン貯蓄累計記憶装置。
【請求項５】
前記コイン累計機構の各計数輪には目盛りが設けられており、前記計数輪によって一連の数値を形成することにより貯蓄されたコインの金額を表示し、各計数輪の内部に単方向の位置決め爪車が設けられており、１の位と１０の位の前記計数輪に前記単方向の駆動爪車が設けられており、前記コイン金額識別機構による機械選別金額に対応する伝動機械信号が前記伝動機構によって１の位または１０の位の爪車の外歯車に作用して前記計数輪が従動回転し、各計数輪の右側の周辺に複数の計数連動歯が設けられていると共に、前記計数輪の左側に繰り上げ連動歯が設けられており、隣接の前記計数輪の間に繰り上げ連動を行うための連動輪が設置され、
１の位の輪は、一つの前記伝動ロッドによって駆動され、１単位を累計し、１０単位を満たしたら１０の位の輪に前記繰り上げ連動を一回行い、
１０の位の輪は、二つの前記伝動ロッドによって駆動され、１桁の繰り上げと半桁の繰り上げがあり、１０を満たしたら１００の位の輪と一回の前記繰り上げ連動を起こし、または０．５単位の繰り上げを行う場合、二回の前記繰り上げ連動によって繰り上げを完了させることを特徴とする請求項１に記載のコイン貯蓄累計記憶装置。
【請求項６】
前記扇形歯車セットは、第１の伝動輪と第２の複合輪であり、両輪の一側は初期位置に止められ、前記第１の伝動輪は、一つの前記伝動ロッドと作用して１の位の輪と連動することによって一種の金額信号を伝達するものであり、前記第２の複合輪は、二つの前記伝動ロッドと作用して１０の位の輪と連動することによって両種の金額信号を伝達するものであることを特徴とする請求項４に記載のコイン貯蓄累計記憶装置。
【請求項７】
前記第２の複合輪は、能動輪と受動扇形輪からなり、前記能動輪に復帰接続孔が設けられており、スプリングを接続して弾性的に初期位置に固定され、前記受動扇形輪と前記能動輪とが差動伝動し、前記伝動ロッドの機械動作によって前記能動輪に作用し、前記能動輪が前記受動扇形輪との回転差を経過する途中において、機械信号を伝動し、当該機械信号が前記計数輪上の前記連動輪のクラッチブラケットに作用して前記連動輪を離接し、前記能動輪は前記受動輪に対して差動回転した後、前記受動扇形輪と連動し、前記受動扇形輪によって前記計数輪上の伝動爪車と噛み合い連動することを特徴とする請求項６に記載のコイン貯蓄累計記憶装置。
【請求項８】
前記１の位と１０の位の計数輪の間の前記連動輪は、クラッチブラケットに取り付けられ、前記クラッチブラケットは、弾性部品によって台座上に位置決めされ第２の複合輪の能動輪によって制御され、前記連動輪は繰り上げ干渉時に前記計数輪から離れることを特徴とする請求項５に記載のコイン貯蓄累計記憶装置。
【請求項９】
前記コイン貯蓄累計記憶装置によって２０進法、４０進法又は５０進法によるコイン金額識別及び累計が可能であり、前記各進法に対応する最小の目盛りは順に０．５０単位、０．２５単位、０．２０単位であることを特徴とする請求項１〜８の何れかに記載のコイン貯蓄累計記憶装置。
【発明の詳細な説明】
【技術分野】
【０００１】
本発明は、一種のコイン貯蓄累計記憶装置に関する。本発明は、国際特許分類表（ＩＰＣ）に基づくコイン貯蓄の技術分野に属し、特に貯蓄タンクを有する製品またはその他の貯蓄機能を有する工芸品に応用できる機械式のコイン金額累計記憶装置に関し、２０進法、４０進法及び５０進法による最小目盛りとしてのコイン単位の累計に応用できる。
【背景技術】
【０００２】
伝統的な貯蓄タンクは、コインを収納する容器であり、使用時にコイン入口からタンク内に投入されるが、使用者はいくらのコインを貯蓄タンクに入れたかが分からない。ある市販の貯蓄装置は、コイン個数の計数器を備え、コインの金額が異なるため、例えば、人民元の場合、１角のコイン、５角のコイン、１元のコインがある。上記装置によって投入されたコインのトータル個数を記憶できるが、金額の認識機能がないから、金額の累計ができない。そして、従来のコイン個数累計の計数器は一般的に１０進法を利用し、０．５単位の累計ができない。従来の電子知能によるコイン貯蓄タンクは、金額累計機能が有しているものの、電子回路がなければ実現できず、電気エネルギーの消耗が必要になり、電源がなければ利用できない。使い切った電池も交換しなければならないから、環境保護の要求を満たしていない。
【０００３】
特許文献１に開示されている一種の知能計数貯金箱は、アッパーカバーと、計数部品と、ドライブプレート部品と、ケース部品と、ロアーカバー部品とを備え、当該装置によってコイン計数ができると共に入れたコインが所定の金額を達したら自動的にドアを開ける。特許文献２に開示されている一種のコイン貯蓄累計器は、一個のコインが投入される度に、伝動部品によって対応する計数輪が従動回転すると共に、表示パネルで表示されている一連の数値も一回に累計する。このように、コインの累計表示機能が実現できる。しかしながら、特許文献１，２に開示された技術案はいずれも数量の累計に過ぎず、金額累計機能の課題が解決されなかった。
【先行技術文献】
【特許文献】
【０００４】
【特許文献１】中国特許文献ＣＮ２００４２００９１１０４．Ｘ
【特許文献２】中国特許文献ＣＮ２００７２００６１６９９．８
【発明の概要】
【発明が解決しようとする課題】
【０００５】
従来技術の課題に対し、本発明は合理的な構成を有する機械式のコイン貯蓄累加記憶装置（コインの直径によって金額を判断して累計を行う汎用の装置）を提供する。
【課題を解決するための手段】
【０００６】
上記目的を達成するために、本発明は、以下の技術的手段によって実現されたものである。
【０００７】
本発明に係るコイン貯蓄累計記憶装置は、コイン金額識別機構とコイン累計機構とを含むコイン貯蓄累計記憶装置であって、前記コイン金額識別機構は、フレームを備え、前記フレームの一端にコインの投入口が設けられており、前記投入口の一端は、直径が異なるコインの投入にも対応可能な可動端であり、前記可動端に伝動ピン付きの移動子が設置され、前記移動子は複合の斜線軌跡に沿って移動すると共に選別柵部に合わせて異なる金額のコインの選別作業を行うことができ、前記選別柵部は、一つ以上の通路を有し、前記一つ以上の通路はそれぞれ異なる金額のコインに対応し、各通路に伝動ロッドが設置され、その伝動ロッドと当該通路に入った伝動ピンとの作用によりコインの金額に対応する特性信号を発生させ、前記コイン累計機構は、１セットの単方向に回転可能な計数輪を備え、１の位と１０の位に位置する前記計数輪に、単方向の駆動爪車が設けられており、前記駆動爪車は、伝動機構に接続し、前記コイン金額識別機構から受信した前記特性信号に対応して駆動することによって、コイン金額値を累計記憶する。
【０００８】
さらに、前記可動端は可動枠部であり、前記可動枠部は前記フレームの投入口方向に沿って往復移動し、前記可動枠部に前記移動子を収容するための横方向のスライド溝が設けられており、前記可動端が水平に直線移動するとき、前記移動子が従動して垂直に移動し、前記移動子は同時に斜面スプリングピースと圧縮スプリングとの作用により前記複合の斜線軌跡の移動経路を形成し、前記移動子の移動は前記選別柵部からの制限も受け、前記選別柵部の各通路に阻止バリアが設けられており、前記阻止バリアの阻止長さの直線移動方向における距離は、コインの直径に対応しているため、異なる直径のコインによって前記可動端の直線移動距離も異なることで、前記移動子が跳ねるように平行移動すると共に前記伝動ピンが異なる前記通路に入ってコイン金額の識別が可能になる。
【０００９】
さらに、前記選別柵部内の各阻止バリアが阻止長さの短い順に配列されているため、前記伝動ピンが短い順から平行移動するとき、短い順に阻止長さを経過することになり、各種のコインの特有の直径がそれぞれ一つの復帰通路に対応付けられている。
【００１０】
さらに、前記可動枠部の両端は、エキスパンダーを介して前記フレームに接続しているため、コイン投入後に復帰可能であり、コインが前記投入口を経過する過程において、コインの直径に対応して前記可動端が最大に平行移動し、前記可動枠部内の前記移動子の前記伝動ピンは、最大に跳ねるように平行移動した後、異なる前記復帰通路に進入し、前記伝動ピンは前記通路に進入後前記伝動ロッドの斜面に作用して前記コイン金額累計機構と連動することによってコイン金額値累計記憶を行い、前記伝動ピンが前記伝動ロッドの前記斜面の末端に当接後隔離し、前記圧縮スプリングの作用によって初期位置に移動復帰するサイクルを完了させる。
【００１１】
さらに、前記伝動機構は、歯車噛合機構であり、扇形歯車セットを備え、その中の扇形歯車の一端は触発端であり、前記伝動ロッドとの作用によってコイン選別の前記特性信号を受信し、前記扇形歯車の歯部は前記計数輪側の歯車と噛み合って前記計数輪を駆動することによってコイン金額値の累計記憶が実現できる。
【００１２】
さらに、前記コイン累計機構の各計数輪には目盛りが設けられており、前記計数輪によって一連の数値を形成することにより貯蓄されたコインの金額を表示し、各計数輪の内部に単方向の位置決め爪車が設けられており、１の位と１０の位の前記計数輪に前記単方向の駆動爪車が設けられており、前記コイン金額識別機構による機械選別金額に対応する伝動機械信号が前記伝動機構によって１の位または１０の位の爪車の外歯車に作用して前記計数輪が従動回転し、各計数輪の右側の周辺に複数の計数連動歯が設けられていると共に、前記計数輪の左側に繰り上げ連動歯が設けられており、隣接の前記計数輪の間に繰り上げ連動を行うための連動輪が設置され、１の位の輪は、一つの前記伝動ロッドによって駆動され、１単位を累計し、１０単位を満たしたら１０の位の輪に前記繰り上げ連動を一回行い、１０の位の輪は、二つの前記伝動ロッドによって駆動され、１桁の繰り上げと半桁の繰り上げがあり、１０を満たしたら１００の位の輪と一回の前記繰り上げ連動を起こし、または０．５単位の繰り上げを行う場合、二回の前記繰り上げ連動によって繰り上げを完了させる。
【００１３】
さらに、前記扇形歯車セットは、第１の伝動輪と第２の複合輪であり、両輪の一側は初期位置に止められ、前記第１の伝動輪は、一つの前記伝動ロッドと作用して１の位の輪と連動することによって一種の金額信号を伝達するものであり、前記第２の複合輪は、二つの前記伝動ロッドと作用して１０の位の輪と連動することによって両種の金額信号を伝達するものである。
【００１４】
前記第２の複合輪は、能動輪と受動扇形輪からなり、前記能動輪に復帰接続孔が設けられており、スプリングを接続して弾性的に初期位置に固定され、前記受動扇形輪と前記能動輪とが差動伝動し、前記伝動ロッドの機械動作によって前記能動輪に作用し、前記能動輪が前記受動扇形輪との回転差を経過する途中において、機械信号を伝動し、当該機械信号が前記計数輪上の前記連動輪のクラッチブラケットに作用して前記連動輪を離接し、前記能動輪は前記受動輪に対して差動回転した後、前記受動扇形輪と連動し、前記受動扇形輪によって前記計数輪上の伝動爪車と噛み合い連動する。
【００１５】
さらに、前記１の位と１０の位の計数輪の間の前記連動輪は、クラッチブラケットに取り付けられ、前記クラッチブラケットは、弾性部品によって台座上に位置決めされ第２の複合輪の能動輪によって制御され、前記連動輪は繰り上げ干渉時に前記計数輪から離れる。
【００１６】
さらに、前記コイン貯蓄累計記憶装置によって２０進法、４０進法又は５０進法によるコイン金額識別及び累計が可能であり、前記各進法に対応する最小の目盛りは順に０．５０単位、０．２５単位、０．２０単位である。
【００１７】
本発明の０．５単位の計数方式は、以下のとおりである。計数輪の２０歯の回転は１サイクルとし、最小の回転角度が１８度であり、即ち、２０個の１８度（３６０度）から１サイクルが完了する。計数輪による数字は人々によく慣れた１０進法によるものであり、最小の単位は０．５単位であり、即ち、２０個の０．５単位（１０単位）で１サイクルが完了する。
【００１８】
本発明の動作原理は、以下のとおりである。異なる金額のコインの特有の直径に基づき、異なる機械動作特性サイクルを決定し、異なる機械特性サイクル経路によってコイン金額に対応する特性機械信号/機械動作を伝動する。コイン金額に対応する特性機械信号によって、機械計数輪を駆動し、特性機械信号に基づき、機械計数輪にコイン金額に対応するデータの累計を一回発生させる。
【発明の効果】
【００１９】
本発明によれば、以下の有益な効果が得られる。
１、本発明は完全な機械構造であるため、環境保護に良い。
２、本発明によって貯蓄タンクの金額識別累計記憶が実現できる。
３、本発明によって一つのコイン投入口だけで異なる金額のコインをサイクルに識別する課題を解決し、さらに識別したコインの金額累計も実現できる。
４、本発明ではコイン金額の小数累計が提案した。０．５単位（０．５元、五角）は２０進法による計数輪の最小の目盛りであり、人民元に適用できる。０．２５単位は４０進法による最小の目盛りであり、０．２５単位は、例えばドルの２５セントの累計に適用でき、つまり、４０進法による計数輪で０．２５単位の累計を実現する。０．２０単位は５０進法による最小の目盛りであり、０．２単位の累計は、例えば２０ユーロセント（０．２ユーロ円）のコインの累計に適用できる。
【図面の簡単な説明】
【００２０】
【図１】本発明のコイン貯蓄累計記憶装置の概略図である。
【図２】図１の側面図である。
【図３】図１の上面図である。
【図４】本発明のその他の概略図である。
【図５】本発明のコイン金額識別機構と累計機構とが離れたときの概略図である。
【図６】本発明のコイン識別機構の概略図である。
【図７】本発明のコイン識別機構の選別柵部を分解した概略図である。
【図８】本発明のコイン識別機構フレーム、枠部及び移動子の概略図である。
【図９】本発明のコイン識別機構の選別柵部の構成図である。
【図１０】本発明のコイン累計機構の概略図である。
【図１１】本発明の累計機構の繰り上げ連動を表すための構成図である。
【図１２】本発明の伝動ロッドと扇形歯車セットとの作用を表すための図である。
【図１３】本発明の扇形歯車セットの概略図である。
【発明を実施するための形態】
【００２１】
以下、本発明について図面を参照しつつ説明する。
【００２２】
図１〜図５に示されるように、コイン貯蓄累計記憶装置は、コイン金額識別機構Ａとコイン累計機構Ｂとを含む。
【００２３】
コイン金額識別機構Ａは、フレーム１を備え、その一端にはコイン投入口Ｍ０が設けられており、投入口の一端は直径が異なるコインの投入にも対応可能な可動端(可動フレーム２)であり、前記可動端に伝動ピン３０付きの移動子３が設置され、当該移動子３は、複合の斜線軌跡に沿って移動すると共に選別柵部４に合わせて異なる金額のコインの選別作業を行うことができ、選別柵部４は一つ以上の通路を有し、その一つ以上の通路はそれぞれ異なる金額のコインに対応し、各通路に伝動ロッドが設置され、その伝動ロッドと当該通路に入った伝動ピン３０との作用によりコインの金額に対応する特性信号を発生させる。
【００２４】
コイン累計機構Ｂは、１セットの単方向に回転可能な計数輪６１を備え、１の位と１０の位に位置する計数輪に、単方向の駆動爪車が設けられており、上記爪車は伝動機構５に接続し、コイン金額識別機構から受信した特性信号に対応して駆動することによってコイン金額値を累計記憶する。
【００２５】
図１〜図３に示されるように、本発明の可動端は可動枠部２であり、当該枠部は、フレームの投入口方向に沿って往復移動し、枠部に移動子３を収容するための横方向のスライド溝が設けられており、前記可動端が水平に直線移動するとき、移動子が従動して垂直に移動し、移動子は、同時に斜面スプリングピース３２と圧縮スプリング３３との作用により複合の斜線軌跡の移動経路を形成する。また、移動子３の移動は、選別柵部４からの制限も受けている。図９または図１２に示されるように、選別柵部４の各通路に阻止バリア４１が設けられており、阻止バリア４１の阻止長さの直線移動方向における距離は、コインの直径に対応しているため、異なる直径のコインによって可動端の直線移動距離も異なることで、移動子３が跳ねるように平行移動すると共に伝動ピンが異なる通路に入ってコイン金額の識別が可能になる。図９に示されるように、選別柵部内の阻止バリア４１が阻止長さの短い順に配列されているため、前記伝動ピン３０が短い順から平行移動するとき、短い順に阻止長さを経過することになる。そのため、各コインの特有の直径がそれぞれ一つの復帰通路に対応付けられている。図１或図３に示されるように、前記可動枠部２の両端は、エキスパンダー１０を介してフレーム１に接続されているため、コインが投入された後復帰する。コインが投入口を経過する過程において、コインの直径に対応して可動端が最大に平行移動し、枠部内の移動子３の伝動ピン３０は、最大に跳ねるように平行移動した後、異なる復帰通路に進入し、前記伝動ピン３０は通路に進入後伝動ロッドの斜面５１０に作用してコイン金額累計機構と連動することによってコイン金額値の累計記憶が実現できる。伝動ピン３０が伝動ロッドの斜面末端に着いたら離れ、圧縮スプリング３３の作用によって初期位置に移動復帰し、一つのサイクルとなる。
【００２６】
図９、図１２、図１３に示されるように、本発明の伝動機構５は、歯車噛合機構であり、扇形歯車セットを備え、その中の扇形歯車の一端は、触発端５００であり、伝動ロッド５１との作用によってコイン選別の特性信号を受信し、扇形歯車の歯部は、計数輪側の歯車６１０と噛み合って計数輪を駆動することによってコイン金額値の累計記憶が実現できる。コイン金額累計機構は、１セットの単方向に回転可能な計数輪６１を備え、各計数輪の環形リングには、目盛りが付いている。図３または図１０に示されるように、上記計数輪によって一連の数値を形成して貯蓄されたコインの金額を表示することになる。各計数輪の内部に単方向の位置決め爪車が設けられており、１の位と１０の位の計数輪に単方向の駆動爪車が設けられており、前記コイン金額識別機構による機械選別金額に対応する伝動機械信号が伝動機構によって１の位または１０の位の爪車の外歯車に作用して計数輪が従動回転する。各計数輪の右側の周辺に複数の計数連動歯６１１が設けられていると共に、計数輪の左側の周辺に繰り上げ連動歯６１２が設けられており、隣接の計数輪の間に繰り上げ連動を行うための連動輪６２が設けられている。なお、１の位の輪によって一角のコインを累計し、一つの伝動ロッドによって駆動され、１単位を累計し、１０単位を満たしたら、１０の位の輪に繰り上げ連動を一回行う。１０の位の輪によって五角のコイン及び十角のコイン（一元）を累計し、二つの伝動ロッドによって駆動され、１桁の繰り上げと半桁の繰り上げがあることで、１０を満たしたら１００の位の輪と一回の繰り上げ連動を起こし、または０．５単位の繰り上げを行う場合、二回の連動によって繰り上げを完了させる。
【００２７】
図１２、図１３を参照し、本発明の伝動機構の扇形歯車セットは、第１の伝動輪５２と第２の複合輪５３との組み合わせで、両輪の一側は初期位置に止められ、第１の伝動輪５２は、一つの伝動ロッドと作用して１の位の輪と連動する。伝動輪５２に復帰接続孔が設けられており、ロッド５２１及びスプリング５２０を接続して弾性的に台座に固定されている。第２の複合輪５３は、二つの伝動ロッドと作用して１０の位の輪と連動する。第２の複合輪５３は、能動輪５３１と受動扇形輪５３２とからなっている。能動輪に復帰接続孔が設けられており、ロッド５２１及びスプリング５２０を接続して弾性的に初期位置に固定されている。受動扇形輪５３２と能動輪５３１とが差動伝動し、伝動ロッドの機械動作によって能動輪５３１に作用し、能動輪が受動扇形輪との回転差を経過する過程において、クラッチロッド機構５３３によって機械信号を伝動し、当該機械信号が計数輪上の連動輪のクラッチブラケット７に作用して連動輪６２をクラッチ（離接）する。図１１に示されるように、能動輪は受動輪に対して差動回転した後、受動扇形輪と連動し、当該扇形輪によって計数輪上の伝動爪車と噛み合い連動する。前記１の位と１０の位の計数輪との間の連動輪６２はクラッチブラケット７に取り付けられ、クラッチブラケット７は、弾性部品によって台座７０上に位置決めされ第２の複合輪５３の能動輪５３１によって制御される。前記連動輪は、繰り上げ干渉時に計数輪から離れる。
【００２８】
本発明のコイン貯蓄累計記憶装置によって２０進法、または４０進法、または５０進法によるコイン金額識別及び累計が実現でき、上記各進法に対応する最小の目盛りは、順に０．５０単位、０．２５単位、０．２０単位となる。
【００２９】
本発明のコイン金額識別機構は、フレームを備え、当該フレームの一端に投入口Ｍ０が設けられており、投入口の他端は、可動枠部であり、可動枠部は、フレーム両側の梁におけるスライド溝に沿って往復スライドする。選別柵部は、フレームの横梁に固定され、枠部の中央に切り欠きがあり、その前後側にスライド溝がある。移動子は切り欠き内に位置していると共に、スライド溝に横方向に沿って平行移動することができる。移動子の上下側からロッド状部材が突き出て斜面スプリングピースに制限されて平行移動することになる。斜面スプリングピースの固定側縁部が選別柵部の突起側壁に設置されている。
【００３０】
本発明のコイン金額累計機構Ｂは、１セットの単方向に回転可能な計数輪６１を備え、各計数輪の環形リングに目盛り０、１、２、３、４、５、６、７、８、９が付いている。上記計数輪によって一連の数値を形成して貯蓄されたコインの金額を表示することになる。
【００３１】
本発明のコイン貯蓄累計記憶装置によって２０進法、または４０進法、または５０進法によるコイン金額識別及び累計が実現でき、上記各進法に対応する最小の目盛りは順に０．５０単位、０．２５単位、０．２０単位である。本発明は、異なる金額のコインの特有の直径に基づき、異なる機械動作特性サイクルを決定することによって、異なる機械特性サイクルの経路を経由してコイン金額に対応する特性機械信号/機械動作を伝動することが可能になる。コイン金額に対応する特性機械信号によって、機械計数輪を駆動し、特性機械信号に基づき、機械計数輪にコイン金額に対応するデータの累計を一回発生させる。
【００３２】
本発明は、主に、コイン金額をサイクルに識別できる機械構成（コイン金額識別機構）と、コイン金額累計機構とを含む。
【００３３】
（１）コイン金額識別機構
コイン金額をサイクルに識別できる機械構成であって、当該機構は、コイン投入口を有し、投入口の一端は固定端で、他端は直径が異なるコインの投入に対応可能な可動端であり、前記可動端に左右に移動できる移動子が設置され、移動子に伝動ピンが設けられており、伝動ピンの先端部に選別柵部が設置され、当該選別柵部は、一个以上の通路を有し、それぞれが異なる金額値のコインに対応する。前記可動端が直線移動すると、移動子が受動に直線移動する。移動子の両側にそれぞれ斜面スプリングピースと圧縮スプリングとが設置され、移動子が直線移動するとき、斜面スプリングピースから受けた横方向の分力は、圧縮スプリングからの作用力より大きいので、移動子が平行移動することになる。移動子の平行移動は選別柵部から制限を受けている。選別柵部の各通路は阻止バリアを有し、阻止バリアの阻止長さの直線移動方向における距離は、コインの直径に対応しているため、異なる直径のコインによって可動端の直線移動距離も異なることで、移動子が跳ねるように平行移動すると共に伝動ピンが異なる通路に入ってコイン金額の識別が可能になる。
【００３４】
可動端に横方向に沿って平行移動できる移動子が設置され、移動子が選別柵部の末端についた時、対応して固定された斜面スプリングピースからの斜方向の作用力及び移動子と共に移動する圧縮スプリングからの作用力を受ける。斜面スプリングピースからの斜方向の作用力を分解して得る、スプリングと相互に排斥する作用力は、圧縮スプリングからの作用力より大きい。選別柵部の初期端に、斜面スプリングピースは、移動子と接触しないから移動子に作用力を与えない。
前記コイン金額識別機構はフレームを有し、当該フレームの一端に投入口が設けられており、投入口の他端は、可動枠部であり、前記可動枠部と前記移動端とが固定され、コインが投入口を経過する過程において、コインの直径に対応して移動端が最大に平行移動し、移動端内の移動子は、最大に平行移動した後、異なる復帰通路に進入する。選別柵部内の各阻止バリアが阻止長さの短い順に配列されているため、前記伝動ピンが短い順から平行移動するとき、短い順に阻止長さを経過することになる。そのため、各種のコインの特有の直径がそれぞれ一つの復帰通路に対応付けられている。
【００３５】
（２）コイン金額累計機構
本発明のコイン累計部分は、１セットの２０進法の計数輪からなり、単方向に回転するものであり、最小の目盛りは０．５である。１０の位に０．５が標記され、五角、０．５元の累計を表示する。計数輪の内部は、単方向の２０歯ある位置決め爪車である。１の位と１０の位の計数輪に２０歯ある単方向の駆動爪車がある。機械選別の金額に対応する伝動機械信号は、歯車による噛み合いによって計数輪と連動する。１の位の輪は、１単位の累計による繰り上げをする。一角で、１０個まで足したら、１０の位の輪に一回の繰り上げ連動をする。１０の位の輪に対しては、１単位である一元による繰り上げもあるし、半桁である０．５(五角単位での繰り上げ）による繰り上げもある。１０を満たしたら１００の位の輪と一回の繰り上げ連動を起こしてもいいし、または、０．５による繰り上げの場合、二回に分けて連動して繰り上げを完了させることもできる。
【００３６】
本発明を利用する過程において、繰り上げ連動の問題が発生する可能性がある。繰り上げ連動は、繰り上げ輪の連動歯によって、連動輪を介して繰り上げされた輪の連動歯に伝動して繰り上げされた輪を連動させることである。具体的には、１の位から１０の位に繰り上げする過程において、連動歯によって伝動輪が回転すると、歯の後ろにある１の位の輪の歯に干渉箇所が発生し、干渉を排除するために、１の位と１０の位の計数輪の間に位置する連動輪をクラッチ装置が付いている構成にするようにデザインし、連動輪をクラッチブラケットに取り付け、クラッチブラケットを台座に位置決めさせ、スプリングによって弾性クラッチ（離接）する。
【００３７】
繰り上げ連動を解決するための提案は、以下のとおりである。
【００３８】
第２の複合輪は、能動輪と受動扇形輪とからなっている。能動輪に復帰接続孔が設けられており、スプリングを接続して弾性的に初期位置に固定されている。受動扇形輪は能動輪と差動伝動し、伝動ロッドの機械動作は能動輪に作用する。能動輪は、受動扇形輪との回転差を経過する過程中において、一つの機械信号を伝動し、当該機械信号が計数輪上の連動輪のクラッチブラケットに作用して連動輪をクラッチする。能動輪は受動輪に対して差動回転した後、受動扇形輪と連動し、当該扇形輪によって計数輪上の伝動爪車と噛み合い連動する。計数器の累計繰り上げ輪は後輪に干渉せず、前輪に累計する。
【００３９】
【表１】
0005927353.tif 000002
【００４０】
本発明と従来技術との機能及び構成上の相違点は、以下のとおりである。
【００４１】
（１）機能上の区別
１、本発明は、機械記憶機能を利用するため、電気エネルギーが不要であり、永遠に記憶できる。従来の知能記憶には電源が必要なので、電池を消耗する。電池が使い切れたら交換も必要となる。
２、本発明によって金額別の累計記憶が実現できる。出力結果は**百*十元*元*角である。従来は、個数の累計しかできず、出力結果も*個となる。
【００４２】
（２）構成上の区別
１、本発明は単なる機械構成であるが、従来の知能記憶貯蓄タンクは、電子配線基板と液晶表示パネルを利用する。
２、本発明によってコインの金額機械識別が実現できる。同一のコイン投入口に投入したとしても、コインの異なる金額に対応する特性機械動作サイクルを出力する。
３、本発明における機械計数輪に関し、動作状態にある１０の位と１の位はそれぞれに独立しているため、アンフィ位累計が実現できる。アンフィ位累計とは、一元が十角に相当し、いずれも１０の位の計数輪に１を累計することである。従来のコイン個数計数器は伝統的な計数器構成であるため、アンフィ位累計が実現できない。
４、本発明の機械累計輪によって、後輪に干渉せず、前輪に累計するアンフィ位累計が実現できる。
５、本発明は、小数による進法を提案した。コイン累計に応用されたのは１０進法累計ではなく、２０進法で０．５単位の計数輪を採用した。同じ発想に基づき、該当する歯車の歯数を変更することによって４０進法の構成にすることができる。０．２５単位で累計を行い、例えば２５セント（０．２５ドル）のコインの累計に応用できる。５０進法にすると、０．２単位での累計は，例えば２０ユーロセント（０．２ユーロ円）のコインの累計に応用できる。従来の計数輪は、伝統的な１０進法の計数輪であるため、０．５単位での累計でも、０．２５単位での累計でも、０．２単位での累計でもできない。
【００４３】
本発明の主要な特徴は、以下のとおりである。
【００４４】
１、機械式の金額累計記憶の機能を有し、一つの投入口から投入され、一つの計数装置によって投入された金額の累計結果出力を表示するものである。
２、本発明装置は、非整数の小数の累計機能を有し、０．５、０．２５、０．２単位のコインの累計を解決した。
３、本発明は、コインの特有の直径に基づき区分を行う完全機械の構成であり、コインの直径によって金額を判断して累計を行える汎用の装置である。
４、本発明では、アンフィ位累計による計数輪や、非整数累計の計数輪を利用する。
【００４５】
以上の記載は、本発明の技術的内容を利用する実施例に過ぎない。本分野の技術者が本発明を利用して作り出した如何なる修正、変更は、本発明の特許範囲に含まれるべき、その実施例の発表者に所属するものではない。
【図１】
0005927353.tif 000003
【図２】
0005927353.tif 000004
【図３】
0005927353.tif 000005
【図４】
0005927353.tif 000006
【図５】
0005927353.tif 000007
【図６】
0005927353.tif 000008
【図７】
0005927353.tif 000009
【図８】
0005927353.tif 000010
【図９】
0005927353.tif 000011
【図１０】
0005927353.tif 000012
【図１１】
0005927353.tif 000013
【図１２】
0005927353.tif 000014
【図１３】
0005927353.tif 000015